(57)【特許請求の範囲】
【請求項１】
位置変更可能とされ、第１被搬送材が収容される第１被搬送材収容部と、
第２被搬送材が収容される第２被搬送材収容部と、
前記第１被搬送材が排出される第１被搬送材排出部と、
前記第２被搬送材が排出される第２被搬送材排出部と、
前記第１被搬送材収容部から前記第１被搬送材排出部へ向けて前記第１被搬送材を搬送し、前記第２被搬送材収容部から前記第２被搬送材排出部へ向けて前記第２被搬送材を搬送する搬送手段と、
前記搬送手段における前記第１被搬送材及び前記第２被搬送材で共通の搬送経路の搬送方向下流側に設けられ、前記搬送手段が搬送した前記第１被搬送材及び前記第２被搬送材を前記第１被搬送材排出部及び前記第２被搬送材排出部へ排出可能な排出手段と、
前記搬送手段によって前記第１被搬送材が搬送される被搬送位置に前記第１被搬送材収容部が位置変更されると前記排出手段の排出先を前記第１被搬送材排出部に切り替え、前記被搬送位置から退避した退避位置に前記第１被搬送材収容部が位置変更されると前記排出手段の排出先を前記第２被搬送材排出部に切り替える排出先切替手段と、
を備え、
前記第１被搬送材としての原稿及び前記第２被搬送材としての記録媒体が前記搬送手段によって搬送される搬送経路には、前記原稿のみが搬送される第１経路と、前記記録媒体のみが搬送される第２経路と、前記原稿及び前記記録媒体の両方が搬送される前記共通の搬送経路と、があり、
前記第２経路には、被搬送材に画像を形成可能な画像形成部が設けられ、
前記共通の搬送経路には、被搬送材の画像を読み取り可能な画像読取部が設けられている搬送機構。
【請求項２】
前記第１被搬送材収容部、前記第２被搬送材収容部、前記第１被搬送材排出部及び前記第２被搬送材排出部が前記搬送手段に対する一方側に配置され、
前記被搬送位置に前記第１被搬送材収容部が位置変更されると、前記原稿が前記第１経路を通過した後に前記第２経路の手前で折り返して前記共通の搬送経路に導入されるように前記搬送手段の搬送経路を切替える搬送経路切替手段を備える請求項１に記載の搬送機構。
【請求項３】
前記第１被搬送材収容部の位置を検知する検知手段を備え、
前記排出先切替手段は、前記検知手段の結果に基づき前記排出手段の排出先を切替える請求項１又は請求項２記載の搬送機構。
【請求項４】
前記第１被搬送材収容部の位置を検知する検知手段を備え、
前記搬送経路切替手段は、前記検知手段の結果に基づき前記搬送手段の搬送経路を切替える
請求項２、又は、請求項２を引用する請求項３に記載の搬送機構。
【請求項５】
前記第１被搬送材としての原稿を搬送し、前記第２被搬送材としての記録媒体を搬送する請求項１〜４のいずれか１項の搬送機構と、
前記搬送機構によって搬送される原稿の画像を読み取る前記画像読取部と、
前記画像読取部が読み取った画像に基づき、前記搬送機構によって搬送される記録媒体に画像を形成する前記画像形成部と、
を備える画像形成装置。
【発明の詳細な説明】
【技術分野】
【０００１】
本発明は、搬送機構及び画像形成装置に関する。
【背景技術】
【０００２】
画像形成装置としては、特許文献１に開示される電子写真式画像形成装置が公知である。特許文献１に開示される電子写真式画像形成装置では、用紙３を設置するためのカセット式のホッパー４に原稿供給トレイ１０が略平行状態で一体に形成され、電子写真式画像形成装置１の上面部に設置される。
【０００３】
原稿供給トレイ１０は下方の端部が軸支され、傾斜角度を変えられる。給紙ローラ５は、原稿給紙トレイ１０の角度変更に伴い、用紙３の端部および用紙搬送ガイドａ、ｂ、ｃ１２に対する位置を変更する。また、原稿給紙トレイ１０の角度変更は、トレイポジションセンサーにより検出される。
【０００４】
印字の場合は、用紙３が搬送経路Ａを経てスタッカー９へ排出される。ＦＡＸ送信の場合は、原稿が原稿給紙トレイ１０から用紙搬送ガイドａ、ｂ、ｃ１２に沿って給紙ローラ５により１８０度回転され、イメージセンサで原稿を読み取られ、原稿排紙トレイ１１上へ排出される。
【先行技術文献】
【特許文献】
【０００５】
【特許文献１】特開平７−２６７４１３号公報（図１）
【発明の概要】
【発明が解決しようとする課題】
【０００６】
本発明は、第１被搬送材を収容する第１被搬送材収容部が変更される位置によって、第１被搬送材及び第２被搬送材の両方を排出可能な排出手段が排出する排出先を決定できるようにすることを課題とする。
【課題を解決するための手段】
【０００７】
請求項１の発明は、位置変更可能とされ、第１被搬送材が収容される第１被搬送材収容部と、第２被搬送材が収容される第２被搬送材収容部と、前記第１被搬送材が排出される第１被搬送材排出部と、前記第２被搬送材が排出される第２被搬送材排出部と、前記第１被搬送材収容部から前記第１被搬送材排出部へ向けて前記第１被搬送材を搬送し、前記第２被搬送材収容部から前記第２被搬送材排出部へ向けて前記第２被搬送材を搬送する搬送手段と、前記搬送手段における前記第１被搬送材及び前記第２被搬送材で共通の搬送経路の搬送方向下流側に設けられ、前記搬送手段が搬送した前記第１被搬送材及び前記第２被搬送材を前記第１被搬送材排出部及び前記第２被搬送材排出部へ排出可能な排出手段と、前記搬送手段によって前記第１被搬送材が搬送される被搬送位置に前記第１被搬送材収容部が位置変更されると前記排出手段の排出先を前記第１被搬送材排出部に切り替え、前記被搬送位置から退避した退避位置に前記第１被搬送材収容部が位置変更されると前記排出手段の排出先を前記第２被搬送材排出部に切り替える排出先切替手段と、を備え、前記第１被搬送材としての原稿及び前記第２被搬送材としての記録媒体が前記搬送手段によって搬送される搬送経路には、前記原稿のみが搬送される第１経路と、前記記録媒体のみが搬送される第２経路と、前記原稿及び前記記録媒体の両方が搬送される前記共通の搬送経路と、があり、前記第２経路には、被搬送材に画像を形成可能な画像形成部が設けられ、前記共通の搬送経路には、被搬送材の画像を読み取り可能な画像読取部が設けられている搬送機構である。
【０００８】
請求項２の発明は、前記第１被搬送材収容部、前記第２被搬送材収容部、前記第１被搬送材排出部及び前記第２被搬送材排出部が前記搬送手段に対する一方側に配置され、前記被搬送位置に前記第１被搬送材収容部が位置変更されると、前記原稿が前記第１経路を通過した後に前記第２経路の手前で折り返して前記共通の搬送経路に導入されるように前記搬送手段の搬送経路を切替える搬送経路切替手段を備える。
【０００９】
請求項３の発明は、前記第１被搬送材収容部の位置を検知する検知手段を備え、前記排出先切替手段は、前記検知手段の結果に基づき前記排出手段の排出先を切替える請求項１又は請求項２記載の搬送機構である。
【００１０】
請求項４の発明は、前記第１被搬送材収容部の位置を検知する検知手段を備え、前記搬送経路切替手段は、前記検知手段の結果に基づき前記搬送手段の搬送経路を切替える請求項１〜３のいずれか１項に記載の搬送機構である。
【００１１】
請求項５の発明は、前記第１被搬送材としての原稿を搬送し、前記第２被搬送材としての記録媒体を搬送する請求項１〜６のいずれか１項の搬送機構と、前記搬送機構によって搬送される原稿の画像を読み取る前記画像読取部と、前記画像読取部が読み取った画像に基づき、前記搬送機構によって搬送される記録媒体に画像を形成する前記画像形成部と、を備える。
【発明の効果】
【００１４】
本発明の請求項１の構成によれば、第１被搬送材を収容する第１被搬送材収容部が変更される位置によって、第１被搬送材及び第２被搬送材を排出可能な排出手段が排出する排出先を決定できる。
【００１５】
本発明の請求項２の構成によれば、第１被搬送材を収容する第１被搬送材収容部が変更される位置によって、第１被搬送材が搬送される距離を、第２被搬送材が搬送される距離よりも短くできる。
【００１６】
本発明の請求項３の構成によれば、位置変更された第１被搬送材収容部の移動力を排出先切替手段へ伝達して連動させる機構を用いない場合でも、排出先の切替えができる。
【００１７】
本発明の請求項４の構成によれば、位置変更された第１被搬送材収容部の移動力を搬送経路切替手段へ伝達して連動させる機構を用いない場合でも、搬送経路の切替えができる。
【００２０】
本発明の請求項５の構成によれば、原稿を収容する原稿収容部が変更される位置によって、原稿及び記録媒体を排出可能な排出手段が排出する排出先を決定できる。
【図面の簡単な説明】
【００２１】
【図１】図１は、本実施形態に係る画像形成装置の構成を示す概略図である。
【図２】図２は、本実施形態に係る画像形成装置の一部を拡大して示す概略図である。
【図３】図３は、本実施形態に係る画像形成装置であって、位置変更された原稿収容部の移動力を搬送経路切替部材及び排出先切替部材へ伝達して搬送経路切替部材及び排出先切替部材を移動させる構成において、記録媒体を搬送する場合の状態を示す概略図である。
【図４】図４は、図３に示す構成において、原稿を搬送する場合の状態を示す概略図である。
【図５】図５は、本実施形態に係る画像形成装置において、原稿を搬送する場合の状態を示す概略図である。
【図６】図６は、本実施形態に係る画像形成装置において、記録媒体を搬送する場合の状態を示す概略図である。
【発明を実施するための形態】
【００２２】
以下に、本発明に係る実施形態の一例を図面に基づき説明する。
（本実施形態に係る画像形成装置の構成）
まず、本実施形態に係る画像形成装置の構成を説明する。図１及び図２は、本実施形態に係る画像形成装置の構成を示す概略図である。図１及び図２には、矢印Ａにて装置の上下方向（天地方向）が示され、矢印Ｂにて装置の横方向が示されている。なお、この方向は、画像形成装置１０の設置向きによって相対的に変更されるものであり、矢印Ａ及び矢印Ｂで示す方向に画像形成装置が設置される場合に限定されるものではない。
【００２３】
本実施形態に係る画像形成装置１０は、図１に示されるように、装置本体１１と、装置本体１１を支持する支持体１３とを備えている。装置本体１１は、第１被搬送材の一例としての原稿Ｇ及び第２被搬送材の一例としての記録媒体Ｐを搬送する搬送機構１５を有している。原稿Ｇ及び記録媒体Ｐとしては、用紙や、プラスチック・金属等のフィルムなどがある。
【００２４】
なお、第１被搬送材としては、原稿Ｇである場合に限られず、例えば、記録媒体Ｐであってもよく、搬送機構１５によって搬送され得るものであればよい。また、第２被搬送材としては、記録媒体Ｐである場合に限られず、例えば、原稿Ｇであってもよく、搬送機構１５によって搬送され得るものであればよい。
【００２５】
搬送機構１５は、位置変更可能とされ原稿Ｇが収容される第１被搬送材収容部の一例としての原稿収容部１６と、記録媒体Ｐが収容される第２被搬送材収容部の一例としての記録媒体収容部５０と、原稿Ｇが排出される第１被搬送材排出部の一例としての原稿排出部３２と、記録媒体Ｐが排出される第２被搬送材排出部の一例としての記録媒体排出部５６と、原稿収容部１６から原稿排出部３２へ向けて原稿Ｇを搬送し、記録媒体収容部５０から記録媒体排出部５６へ向けて記録媒体Ｐを搬送する搬送手段１８と、を備えている。
【００２６】
原稿収容部１６、原稿排出部３２、記録媒体収容部５０及び記録媒体排出部５６は、装置本体１１の一方側（図１における右側）に配置されている。具体的には、原稿収容部１６、原稿排出部３２、記録媒体収容部５０及び記録媒体排出部５６は、装置本体１１の一方側（図１における右側）において、上下方向に沿って並んで配置されており、上下方向に重なっている。また、原稿収容部１６、記録媒体収容部５０、原稿排出部３２及び記録媒体排出部５６は、上からこの順で配置されている。このように、原稿収容部１６、記録媒体収容部５０、原稿排出部３２及び記録媒体排出部５６は、一方側（図１における右側）に集約されて配置されている。
【００２７】
原稿収容部１６は、送出ロール２４によって送り出される原稿Ｇを置くための置き台２２を備えている。この置き台２２には、読み取り対象となる読取面を上向きにして原稿Ｇがその送り出し方向に沿って置かれ、原稿Ｇが原稿収容部１６に収容される。なお、置き台２２は、原稿Ｇの送り出し方向側に下る下り勾配となるように傾斜している。
【００２８】
また、原稿収容部１６は、原稿Ｇの送り出し方向に沿ってスライド移動可能に装置本体１１に取り付けられている。送出ロール２４は、後述のように回転移動可能に構成されており、原稿収容部１６は、送出ロール２４の移動軌道上に原稿Ｇを位置させ、原稿Ｇへの送出ロール２４の接触が可能となる接触可能位置（図４及び図５参照）と、送出ロール２４の移動軌道上から外れた位置に退避する退避位置（図３及び図６参照）との間をスライド移動して位置変更可能とされている。この接触可能位置は、搬送手段１８によって原稿Ｇが搬送される被搬送位置であり、退避位置は、接触可能位置から退避した位置となる。
【００２９】
また、原稿収容部１６には、原稿収容部１６に原稿Ｇが収容されているか否かを検知する検知部４７が設けられている。検知部４７としては、例えば、原稿収容部１６の原稿Ｇが収容される位置に光を照射し、原稿Ｇが原稿収容部１６に収容された場合にその原稿Ｇで反射する反射光を検知することにより、原稿収容部１６に原稿Ｇが収容されているか否かを検知する反射型の光センサ（近接スイッチ）が用いられる。なお、検知部４７としては、他の構成のセンサを用いても良い。
【００３０】
さらに、原稿収容部１６（具体的には、置き台２２）には、図２に示されるように、検知部４７の検知結果に基づき、原稿収容部１６を接触可能位置及び退避位置に移動させる移動機構４９が設けられている。移動機構４９は、例えば、原稿収容部１６の置き台２２に形成されたラック４９Ａと、ラック４９Ａと噛み合うピニオン４９Ｂと、ピニオン４９Ｂを回転駆動する駆動モータ４９Ｃとで構成される。
【００３１】
この構成によれば、検知部４７が原稿収容部１６への原稿Ｇの収容を検知すると、その検知結果に基づき移動機構４９は、駆動モータ４９Ｃによってピニオン４９Ｂを一方へ回転駆動させ、ラック４９Ａが形成された置き台２２を原稿Ｇの送り出し方向に沿って接触可能位置へ移動させるようになっている。
【００３２】
また、検知部４７が原稿収容部１６への原稿Ｇの非収容を検知すると、その検知結果に基づき移動機構４９は、駆動モータ４９Ｃによってピニオン４９Ｂを他方へ回転駆動させ、ラック４９Ａが形成された置き台２２を原稿Ｇの送り出し方向後方に沿って退避位置へ移動させるようになっている。
【００３３】
なお、移動機構４９としては、上記の構成に限られず、例えば、リニアアクチュエータを用いてもよく、原稿収容部１６を接触可能位置及び退避位置に移動させる機構であれば、上記構成以外のアクチュエータを用いても良い。
【００３４】
また、原稿収容部１６の移動方向は、上記の方向に限られず、例えば、送出し方向と交差する方向に移動する構成であってもよい。また、原稿収容部１６の移動は、スライド移動に限られず、例えば、回転移動であってもよい。この回転移動する構成においては、例えば、原稿Ｇの送り出し方向側の原稿収容部１６の端部が回転可能に支持され、この端部を回転中心にして、送り出し方向後方側の原稿収容部１６の端部を持ち上げるように回転する構成としてもよい。
【００３５】
さらに、原稿収容部１６は、上記のような２箇所の位置だけでなく、３箇所以上の位置に位置変更される構成であってもよい。
【００３６】
記録媒体収容部５０は、送出ロール２４によって送り出される記録媒体Ｐを置くための置き台５８を備えている。この置き台５８には、記録媒体Ｐがその送り出し方向に沿って置かれ、記録媒体Ｐが記録媒体収容部５０に収容される。なお、置き台５８は、記録媒体Ｐの送り出し方向側に下る下り勾配となるように傾斜している。また、記録媒体収容部５０は、原稿収容部１６と一体化されていてもよい。
【００３７】
原稿排出部３２は、排出ロール３９によって排出された原稿Ｇが置かれる置き台４２を備えている。この置き台４２には、読取面が下向きにされて原稿Ｇがその排出方向に沿って置かれ、原稿Ｇが原稿排出部３２に収容される。
【００３８】
記録媒体排出部５６は、排出ロール３９によって排出された記録媒体Ｐが置かれる置き台７２を備えている。この置き台７２には、記録媒体Ｐが排出方向に沿って置かれ、記録媒体Ｐが記録媒体排出部５６に収容される。なお、記録媒体排出部５６は、原稿排出部３２と一体化されていてもよい。
【００３９】
また、上記構成では、記録媒体排出部５６の上側に配置された排出部が原稿排出部３２とされていたが、原稿排出部３２を記録媒体排出部として用い、記録媒体排出部５６を原稿排出部として用いる構成であってもよい。この場合では、後述する排出先切替部材７０の排出先の切替動作が逆になり、原稿Ｇが下側の原稿排出部に排出され、記録媒体Ｐが上側の記録媒体排出部に排出されるように構成される。
【００４０】
また、上記構成では、記録媒体収容部５０の上側に配置された収容部が原稿収容部１６とされていたが、原稿収容部１６を記録媒体収容部として用い、記録媒体収容部５０を原稿収容部として用いる構成であってもよい。
【００４１】
この場合では、検知部４７は、記録媒体収容部の下側に配置される原稿収容部に対して設けられ、検知部４７が原稿収容部への原稿Ｇの収容を検知すると、送出ロール２４の移動軌道上から外れた退避位置に記録媒体収容部が移動機構４９によって移動し、検知部４７が原稿収容部１６への原稿Ｇの非収容を検知すると、記録媒体Ｐへの送出ロール２４の接触が可能となる接触可能位置に記録媒体収容部が移動機構４９によって移動するように構成される。
【００４２】
また、原稿収容部１６が記録媒体Ｐを収容する記録媒体収容部とされ、原稿排出部３２が記録媒体Ｐを排出するための記録媒体排出部とされる構成であってもよい。この場合では、例えば、記録媒体収容部５０とは、異なるサイズや異なる種類の記録媒体を収容して搬送するのに用いることが可能となる。なお、この構成では、後述の原稿搬送路３４Ｃ及び画像読取部２０を設ける必要がなくなる。
【００４３】
また、記録媒体収容部５０が原稿Ｇを収容する原稿収容部とされ、記録媒体排出部５６が原稿Ｇを排出するための原稿排出部とされる構成であってもよい。この場合では、例えば、原稿収容部１６とは異なるサイズや異なる種類の原稿Ｇを収容して搬送するのに用いることが可能となる。なお、この構成では、後述の記録媒体搬送路３４Ｂ及び画像形成部５４を設ける必要がなくなる。
【００４４】
また、記録媒体収容部５０は、原稿収容部１６に対してずれて配置されていても良く、原稿排出部３２は、記録媒体収容部５０に対してずれて配置されていても良く、記録媒体排出部５６は、原稿排出部３２に対してずれて配置されていても良い。ずれる方向としては、送り出し方向に沿った方向と送り出し方向と交差する方向とがある。
【００４５】
従って、記録媒体収容部５０、原稿排出部３２及び記録媒体排出部５６のそれぞれが、上側に配置された原稿収容部１６、記録媒体収容部５０及び原稿排出部３２のそれぞれに対して、一方向へずれることにより、原稿収容部１６、記録媒体収容部５０、原稿排出部３２及び記録媒体排出部５６が、階段状に配置されている構成であってもよい。
【００４６】
これにより、原稿Ｇの収容や記録媒体Ｐの補給、排出後の原稿Ｇ及び排出後の記録媒体Ｐの取り出し等の取り扱いが容易となる。
【００４７】
搬送手段１８は、例えば、原稿収容部１６に収容された原稿Ｇを原稿収容部１６から送り出し可能であると共に記録媒体収容部５０に収容された記録媒体Ｐを記録媒体収容部５０から送り出し可能な送出ロール２４と、送出ロール２４によって送り出された原稿Ｇ又は記録媒体Ｐを１枚ずつに分離する分離機構３０と、分離機構３０によって分離された原稿Ｇ又は記録媒体Ｐを原稿排出部３２又は記録媒体排出部５６へ向けて搬送する複数の搬送ロール３６と、を備えて構成されている。
【００４８】
送出ロール２４は、分離機構３０の一部を構成する搬送ロール２６の回転軸に一端部が回転可能に連結された連結部材１９の他端部に回転可能に連結されている。送出ロール２４は、連結部材１９の一端部を回転中心に他端部が回転することにより、原稿収容部１６が接触可能位置に位置する場合において、原稿収容部１６に収容された原稿Ｇに接触する接触位置と、その原稿Ｇから離れる離間位置との間を回転移動可能とされている。
【００４９】
なお、送出ロール２４は、原稿収容部１６が退避位置に位置する場合においては、記録媒体収容部５０に収容された記録媒体Ｐに接触する接触位置と、その記録媒体Ｐから離間する離間位置との間を回転移動可能とされる。
【００５０】
また、送出ロール２４は、例えば、ばね等の弾性部材（図示省略）の弾性力により離間位置へ向かう力が常時に付与され、搬送ロール２６の回転力により、弾性部材の弾性力に抗して連結部材１９が一端部を回転中心に他端部が回転することで送出ロール２４を接触位置に移動させる構成とされる。なお、搬送ロール２６とは独立した駆動部の駆動力を利用して送出ロール２４を接触位置又は離間位置へ移動させる構成、送出ロール２４の自重やばね等の弾性部材の弾性力を利用して接触位置に移動させる構成であってもよい。
【００５１】
また、送出ロール２４によって送り出された原稿Ｇ及び記録媒体Ｐが搬送される搬送路３４が、装置本体１１に形成されている。搬送路３４は、図２に示されるように、送出ロール２４によって送り出された原稿Ｇ及び記録媒体Ｐが共通に搬送される第１共通路３４Ａと、第１共通路３４Ａを搬送された記録媒体Ｐが搬送される記録媒体搬送路３４Ｂと、第１共通路３４Ａを搬送された原稿Ｇが搬送される原稿搬送路３４Ｃと、記録媒体搬送路３４Ｂを搬送された記録媒体Ｐと原稿搬送路３４Ｃを搬送された原稿Ｇとが共通で搬送される第２共通路３４Ｄと、第２共通路３４Ｄを搬送された原稿Ｇ及び記録媒体Ｐを反転させて第１共通路３４Ａに送り戻すための反転路３４Ｅとを備えて構成されている。
【００５２】
記録媒体搬送路３４Ｂ及び原稿搬送路３４Ｃは、少なくとも一部がＵ字状に湾曲して形成されており、搬送される原稿Ｇ又は記録媒体Ｐが折り返されるように、下流端側の搬送方向が上流端側の搬送方向に対して反対側を向くように構成されている。
【００５３】
以上により、記録媒体Ｐが記録媒体収容部５０から記録媒体排出部５６まで搬送される搬送経路は、第１共通路３４Ａと記録媒体搬送路３４Ｂと第２共通路３４Ｄとによって構成され、全体としてＵ字状に形成される。また、原稿Ｇが原稿収容部１６から原稿排出部３２まで搬送される搬送経路は、第１共通路３４Ａと原稿搬送路３４Ｃと第２共通路３４Ｄとによって構成され、全体としてＵ字状に形成される。原稿搬送路３４Ｃは、記録媒体搬送路３４Ｂよりも搬送方向上流側に配置されており、原稿Ｇの搬送経路は、記録媒体Ｐの搬送経路よりも距離が短く、記録媒体Ｐの搬送経路よりも手前側で折り返すように構成されている。
【００５４】
なお、原稿Ｇが原稿収容部１６から原稿排出部３２まで搬送される搬送経路を第１共通路３４Ａと記録媒体搬送路３４Ｂと第２共通路３４Ｄとで構成してもよい。この場合においては、原稿Ｇ及び記録媒体Ｐが搬送される搬送経路の全部が共通化される。また、この場合では、後述する搬送経路切替部材６７は不要となる。
【００５５】
第１共通路３４Ａには、分離機構３０が送出ロール２４の搬送方向下流側に配置されている。分離機構３０は、送出ロール２４に送り出された原稿Ｇ及び記録媒体Ｐにその表面側から搬送力を付与する搬送ロール２６と、送出ロール２４によって送り出された原稿Ｇ及び記録媒体Ｐにその裏面側から搬送抵抗を付与する分離パッド２８と、を備えている。
【００５６】
これにより、送出ロール２４によって複数の原稿Ｇ又は記録媒体Ｐが重なって送り出された場合には、搬送ロール２６が上側の原稿Ｇ又は記録媒体Ｐ（１枚目の原稿Ｇ又は記録媒体Ｐ）へ搬送力を付与する一方、下側の原稿Ｇ又は記録媒体Ｐ（２枚目以降の原稿Ｇ又は記録媒体Ｐ）は、分離パッド２８によって、搬送抵抗が付与されるので、重なって送り出された原稿Ｇ又は記録媒体Ｐが分離される。このように、送出ロール２４と分離パッド２８とで、重なった原稿Ｇ又は記録媒体Ｐが捌かれて一枚ずつ搬送される。
【００５７】
また、第１共通路３４Ａには、搬送ロール３６が、分離機構３０の搬送方向下流側に配置されている。搬送ロール３６は、原稿Ｇ及び記録媒体Ｐを挟んで搬送する一対のロールで構成されている。
【００５８】
第１共通路３４Ａから記録媒体搬送路３４Ｂと原稿搬送路３４Ｃとに分岐する部分には、原稿Ｇが記録媒体Ｐよりも搬送方向上流側で折り返すように搬送手段１８の搬送経路を切替える搬送経路切替手段の一例としての搬送経路切替部材６７が設けられている。
【００５９】
搬送経路切替部材６７は、図２に示されるように、原稿搬送路３４Ｃの外周側の搬送路面をなす側面６７Ａと、記録媒体搬送路３４Ｂの下側の搬送路面をなす上面６７Ｂと、記録媒体搬送路３４Ｂの上側の搬送路面をなす底面６７Ｃと、有している。
【００６０】
搬送経路切替部材６７は、その下部が、軸部６６によって装置本体１１に回転可能に支持されている。搬送経路切替部材６７は、軸部６６を回転中心に側面６７Ａが対向する対向面６９側に回転移動し、原稿搬送路３４Ｃを閉鎖する閉鎖位置（図１参照）と、側面６７Ａが対向面６９から離れる側に回転移動し、原稿搬送路３４Ｃを開放する開放位置（図２参照）とに移動可能とされている。
【００６１】
搬送経路切替部材６７が閉鎖位置に位置する場合において、記録媒体搬送路３４Ｂが開放され、第１共通路３４Ａ、記録媒体搬送路３４Ｂ及び第２共通路３４Ｄによる搬送経路が形成される。
【００６２】
搬送経路切替部材６７が開放位置に位置する場合において、原稿搬送路３４Ｃが開放され、第１共通路３４Ａ、原稿搬送路３４Ｃ及び第２共通路３４Ｄによる搬送経路が形成される。この際、搬送経路切替部材６７の側面６７Ａの上端は、記録媒体搬送路３４Ｂの下側路面よりも上側に突出している。これにより、第１共通路３４Ａを搬送された原稿Ｇは、側面６７Ａに当って原稿搬送路３４Ｃに導かれる。
【００６３】
また、搬送経路切替部材６７は、原稿収容部１６の位置変更に連動して、搬送経路を切替えるように構成されている。この連動機構は、原稿収容部１６に設けられ原稿収容部１６の位置を検知する検知手段としての検知部４５と、検知部４５の検知結果に基づき、搬送経路切替部材６７を回転移動させる駆動部としての駆動モータ４８と、を備えている。
【００６４】
検知部４５としては、例えば、接触可能位置に位置する原稿収容部１６の置き台２２の側面に押されてオンとなり、退避位置に原稿収容部１６が位置する場合ではオフとなるリミットスイッチが用いられる。なお、検知部４５としては、この構成に限られず、例えば、光センサ等のセンサを用いても良く、原稿収容部１６の位置を検知するものであればよい。
【００６５】
この連動機構では、原稿収容部１６が接触可能位置に位置することを検知部４５が検知すると、搬送経路切替部材６７は、駆動モータ４８によって、原稿搬送路３４Ｃを開放する開放位置に回転移動するようになっている。また、原稿収容部１６が退避位置に位置することを検知部４５が検知すると、搬送経路切替部材６７は、駆動モータ４８によって、原稿搬送路３４Ｃを閉鎖する閉鎖位置に回転移動するようになっている。
【００６６】
記録媒体搬送路３４Ｂには、後述する画像読取部２０が読み取った画像に基づき、搬送手段１８によって搬送される記録媒体Ｐに画像を形成する画像形成部５４が設けられている。
【００６７】
画像形成部５４は、ノズルからインク滴を吐出して記録媒体Ｐに画像を形成するインクジェット記録ヘッド５３を備えている。インクジェット記録ヘッド５３は、インクジェット記録ヘッド５３下の画像形成位置に搬送された記録媒体Ｐへインク滴を吐出して画像を記録するようになっている。
【００６８】
インクジェット記録ヘッド５３に隣接して、インクジェット記録ヘッド５３に供給されるインクを貯留するインク貯留部５５が設けられている。
【００６９】
インクジェット記録ヘッド５３の下方には、吐出面に対向して、インクジェット記録ヘッド５３のメンテナンスを行うメンテナンス部材５７が設けられている。メンテナンス部材５７は、吐出面を覆うキャップ、インクジェット記録ヘッド５３の吐出面を清掃する清掃部材、ノズル内のインクを吸引するための吸引装置等を有している。
【００７０】
なお、画像形成部５４としては、インクジェット記録ヘッド５３を備える構成に限られず、例えば、電子写真方式によって画像を形成する画像形成部５４であってもよく、画像を形成するものであれば、インクジェット記録ヘッド以外の構成であってもよい。
【００７１】
また、記録媒体搬送路３４Ｂには、搬送ロール３６が、画像形成部５４を間において、画像形成部５４の搬送方向上流側及び搬送方向下流側に配置されている。搬送ロール３６は、原稿Ｇ及び記録媒体Ｐを挟んで搬送する一対のロールで構成されており、画像形成部５４の画像形成位置を通過する記録媒体Ｐの搬送方向上流側と下流側とを挟んで搬送するように構成されている。
【００７２】
原稿搬送路３４Ｃには、搬送手段１８によって搬送される原稿Ｇの画像を読み取る画像読取部２０が設けられている。画像読取部２０は、例えば、光源（図示省略）と、ミラーや結像レンズ等の光学系（図示省略）と、ＣＣＤ等からなる画像読取素子（図示省略）とを備えて構成されている。
【００７３】
画像読取部２０の光源から照射された光を通過させるガラス板等の透明部材３８が、原稿搬送路３４Ｃに設けられている。この透明部材３８は、原稿搬送路３４Ｃの搬送路面をなしており、透明部材３８が配置された位置が、原稿搬送路３４Ｃを搬送される原稿の画像を読み取る画像読取位置となっている。
【００７４】
これにより、原稿搬送路３４Ｃを搬送される原稿Ｇに、画像読取部２０の光源から光が照射され、原稿で反射した反射光が光学系を通じて画像読取素子に導かれ、画像読取素子により画像が読み取られるようになっている。このとき、画像読取部２０は、透明部材３８の下方で、予め定められた位置に位置決め固定された状態にある。このように、原稿Ｇが搬送手段１８で搬送されることにより、画像読取部２０に対して原稿Ｇが副走査されて原稿Ｇの画像が読み取られるようになっている。
【００７５】
画像読取部２０には、図示しない制御部が接続されており、制御部は、画像読取部２０が読み取った画像を画像信号に変換し、変換した画像信号を画像形成部５４に送るようになっている。
【００７６】
なお、画像読取部２０としては、上記の構成に限られず、例えば、発光ダイオード等の発光部からの光を原稿に照射し、反射した光を受光することによって原稿の画像を光学的に読み取る密着型イメージセンサであってもよく、画像を読取可能なものであればよい。
【００７７】
また、第２共通路３４Ｄには、搬送ロール３６が、画像読取部２０を間において、画像読取部２０の搬送方向上流側及び搬送方向下流側に配置されている。搬送ロール３６は、原稿Ｇ及び記録媒体Ｐを挟んで搬送する一対のロールで構成されており、画像読取位置を通過する記録媒体Ｐの搬送方向上流側と下流側とを挟んで搬送するように構成されている。
【００７８】
なお、画像読取部２０の搬送方向上流側に配置された搬送ロール３６は、原稿搬送路３４Ｃと記録媒体搬送路３４Ｂとが合流する部分に配置されている。
【００７９】
また、第２共通路３４Ｄには、搬送手段１８が搬送した原稿Ｇ及び記録媒体Ｐを原稿排出部３２及び記録媒体排出部５６へ排出可能な排出手段の一例としての排出ロール３９が、下流側の搬送ロール３６よりも搬送手段１８の搬送方向下流側に設けられている。
【００８０】
排出ロール３９の排出方向側には、排出ロール３９が排出する排出先を原稿排出部３２及び記録媒体排出部５６の一方から他方へ切替える排出先切替手段の一例としての排出先切替部材７０が設けられている。排出先切替部材７０は、原稿排出部３２の置き台４２の一部をなし、その上面に原稿Ｇが置かれるようになっている。
【００８１】
排出先切替部材７０は、排出方向下流側が、軸部７３によって装置本体１１に回転可能に支持されている。排出先切替部材７０は、軸部７３を回転中心に上流側端部が上方側に回転移動し、原稿排出部３２を閉鎖する閉鎖位置と、上流側端部が下方側に回転移動し、原稿排出部３２を開放する開放位置とに移動可能とされている。
【００８２】
排出先切替部材７０が閉鎖位置に位置する場合において、記録媒体排出部５６が開放され、排出ロール３９が排出する原稿Ｇ又は記録媒体Ｐが記録媒体排出部５６に排出可能となる。
【００８３】
排出先切替部材７０が開放位置に位置する場合において、原稿排出部３２が開放され、排出ロール３９が排出する原稿Ｇ又は記録媒体Ｐが原稿排出部３２に排出可能となる。
【００８４】
また、原稿収容部１６の位置変更に連動して、排出ロール３９の排出先を切替えるように構成されている。この連動機構は、上述の検知部４５と、検知部４５の検知結果に基づき、排出先切替部材７０を回転移動させる駆動部としての駆動モータ４６と、を備えている。
【００８５】
この連動機構によれば、原稿収容部１６が接触可能位置に位置することを検知部４５が検知すると、排出先切替部材７０は、駆動モータ４６によって、原稿排出部３２を開放する開放位置に回転移動するようになっている。また、原稿収容部１６が退避位置に位置することを検知部４５が検知すると、搬送経路切替部材６７は、駆動モータ４６によって、原稿排出部３２を閉鎖する閉鎖位置に回転移動するようになっている。
【００８６】
また、反転路３４Ｅは、両面の画像を読み取る場合に画像読取部２０により片面の画像が読み取られた原稿Ｇが、排出ロール３９により反転されて反転路３４Ｅに導入され、第１共通路３４Ａ及び原稿搬送路３４Ｃを通過して再び画像読取位置へ送り戻されるように構成されている。また、反転路３４Ｅは、両面に画像形成する場合に画像形成部５４により片面に画像が形成された記録媒体Ｐが、排出ロール３９により反転されて反転路３４Ｅに導入され、第１共通路３４Ａ及び記録媒体搬送路３４Ｂを通過して再び画像形成位置へ送り戻されるように構成されている。
【００８７】
（本実施形態に係る画像形成装置の作用）
次に、本実施形態に係る画像形成装置の作用を説明する。ここでは、原稿Ｇの画像を記録媒体Ｐに複写する場合を例にとって説明する。
【００８８】
まず、画像形成装置１０を操作する操作者は、記録媒体Ｐを記録媒体収容部５０に収容すると共に、原稿収容部１６に原稿Ｇを収容する。原稿収容部１６に原稿Ｇが収容されると、検知部４７が原稿Ｇを検知する。
【００８９】
一方で、検知部４５が原稿収容部１６の位置を検知する。検知部４５が、収容された原稿Ｇに送出ロール２４が接触できない退避位置に原稿収容部１６が位置することを検知すると共に、検知部４７が原稿Ｇの収容を検知すると、図５に示すように、原稿収容部１６は、収容された原稿Ｇに送出ロール２４が接触可能な接触可能位置に移動機構４９によって移動する。
【００９０】
原稿収容部１６が接触可能位置に移動すると、原稿収容部１６が接触可能位置に位置することを検知部４５が検知し、その検知結果に基づき、駆動モータ４８によって、搬送経路切替部材６７が、原稿搬送路３４Ｃを開放する開放位置に移動し、第１共通路３４Ａ、原稿搬送路３４Ｃ及び第２共通路３４Ｄによる搬送経路が形成される。また、稿収容部１６が接触可能位置に位置しているという検知部４５の検知結果に基づき、駆動モータ４６によって、排出先切替部材７０が、原稿排出部３２を開放する開放位置に移動し、排出ロール３９による原稿Ｇの排出先が原稿排出部３２とされる。
【００９１】
操作者が、操作部を操作等することにより、複写動作が開始されると、まず、送出ロール２４が、原稿収容部１６に収容された原稿Ｇに接触する接触位置に回転移動する。送出ロール２４が接触した原稿Ｇは、その送出ロール２４によって原稿収容部１６から送り出される。
【００９２】
原稿収容部１６から送り出された原稿Ｇは、第１共通路３４Ａを搬送され、分離機構３０を通過して、原稿搬送路３４Ｃに導入される。原稿搬送路３４Ｃに導入された原稿Ｇは、原稿搬送路３４Ｃを通過してから、第２共通路３４Ｄを搬送される。第２共通路３４Ｄを搬送される原稿Ｇは、画像読取部２０によって画像が読み取られてから、排出ロール３９によって原稿排出部３２に排出される。
【００９３】
原稿収容部１６に収容された原稿Ｇが送り出されると、検知部４７が原稿収容部１６に原稿Ｇが無いことを検知する。これにより、図６に示すように、原稿収容部１６は、移動機構４９によって退避位置に移動する。
【００９４】
原稿収容部１６が退避位置に移動すると、原稿収容部１６が退避位置に位置することを検知部４５が検知し、その検知結果に基づき、駆動モータ４８によって、搬送経路切替部材６７が、原稿搬送路３４Ｃを閉鎖する閉鎖位置に移動し、第１共通路３４Ａ、記録媒体搬送路３４Ｂ及び第２共通路３４Ｄによる搬送経路が形成される。また、原稿収容部１６が退避位置に位置しているという検知部４５の検知結果に基づき、駆動モータ４６によって、排出先切替部材７０が、原稿排出部３２を閉鎖する閉鎖位置に移動し、排出ロール３９による記録媒体Ｐの排出先が記録媒体排出部５６とされる。
【００９５】
また、送出ロール２４は、搬送ロール２６の回転により、記録媒体収容部５０に収容された記録媒体Ｐに接触する接触位置に回転移動する。送出ロール２４が接触した記録媒体Ｐは、その送出ロール２４によって記録媒体収容部５０から送り出される。
【００９６】
記録媒体収容部５０から送り出された記録媒体Ｐは、第１共通路３４Ａを搬送され、分離機構３０を通過して、記録媒体搬送路３４Ｂに導入される。記録媒体搬送路３４Ｂに導入された記録媒体Ｐには、画像読取部２０が読み取った画像に基づく画像が、画像形成部５４によって形成される。
【００９７】
画像が形成された記録媒体Ｐは、記録媒体搬送路３４Ｂ、第２共通路３４Ｄを搬送され、排出ロール３９によって記録媒体排出部５６に排出される。
【００９８】
以上のように、本実施形態では、原稿収容部１６の位置によって、原稿Ｇ及び記録媒体Ｐが搬送される搬送経路及び、原稿Ｇ及び記録媒体Ｐが排出される排出先が決定され、別途、搬送経路及び排出先を選択するための操作が不要となる。
【００９９】
なお、原稿収容部１６の位置変更に連動して搬送経路を切替える連動機構及び原稿収容部１６の位置変更に連動して排出ロール３９の排出先を切替える連動機構としては、上記の構成に限られず、例えば、以下のように構成されていてもよい。
【０１００】
搬送経路を切替える連動機構は、図３及び図４に示すように、置き台２２の送り出し方向先端側の両側の側面に一端部が回転可能に取り付けられた第１連結部材７４と、第１連結部材７４の他端部に軸部７６によって一端部が回転可能に取り付けられ他端部が搬送経路切替部材６７に取り付けられた第２連結部材７８と、軸部７６が案内される長孔８０を有する案内部材（図示省略）と、を備えて構成されている。
【０１０１】
この構成では、軸部７６は、長孔８０の一端部から他端部にかけて移動可能とされ、原稿収容部１６が退避位置に移動することにより、図３に示すように、第１連結部材７４が引っ張られて軸部７６が長孔８０の一端部（上端部）に移動し、原稿収容部１６が接触可能位置に移動することにより、図４に示すように、第１連結部材７４が押されて軸部７６が長孔８０の他端部（下端部）に移動するように、長孔８０の形成位置が調整されている。
【０１０２】
軸部７６が長孔８０の一端部（上端部）に移動すると、図３に示すように、第２連結部材７８が引っ張られて、搬送経路切替部材６７が閉鎖位置に移動するように構成されている。軸部７６が長孔８０の他端部（下端部）に移動すると、図４に示すように、第２連結部材７８が押されて、搬送経路切替部材６７が開放位置に移動するように構成されている。
【０１０３】
また、排出ロール３９の排出先を切替える連動機構は、図３及び図４に示すように、置き台２２の送り出し方向先端側の両側の側面に一端部が回転可能に取り付けられた第３連結部材８２と、第３連結部材８２の他端部に軸部８４によって一端部が回転可能に取り付けられ他端部が排出先切替部材７０の上流側端部に取り付けられた第４連結部材８６と、軸部８４が案内される長孔８８を有する案内部材（図示省略）と、を備えて構成されている。
【０１０４】
この構成では、軸部８４は、長孔８８の一端部から他端部にかけて移動可能とされ、原稿収容部１６が退避位置に移動することにより、図３に示すように、第３連結部材８２が引っ張られて軸部８４が長孔８８の一端部（図３における右端部）に移動し、原稿収容部１６が接触可能位置に移動することにより、図４に示すように、第３連結部材８２が押されて軸部８４が長孔８８の他端部（図４における左端部）に移動するように、長孔８８の形成位置が調整されている。
【０１０５】
軸部８４が長孔８８の一端部（図３における右端部）に移動すると、図３に示すように、第４連結部材８６が引っ張られて、排出先切替部材７０が閉鎖位置に移動するように構成されている。軸部８４が長孔８８の他端部（図３における左端部）に移動すると、図４に示すように、第４連結部材８６が押されて、排出先切替部材７０が開放位置に移動するように構成されている。
【０１０６】
このように、位置変更された原稿収容部１６の移動力を搬送経路切替部材６７及び排出先切替部材７０へ伝達して搬送経路切替部材６７及び排出先切替部材７０を移動させる構成としてもよい。なお、このような構成としては、上記の構成に限られず、カムなどの他の機械要素を用いて連動させる構成であってもよい。
【０１０７】
また、上記の構成では、検知部４７が原稿Ｇの収容を検知した結果に基づき、移動機構４９によって原稿収容部１６を接触可能位置に移動させ、原稿収容部１６が接触可能位置に位置することを検知部４５が検知し、その検知結果に基づき、駆動モータ４８によって搬送経路切替部材６７を開放位置に移動させ、かつ駆動モータ４６によって排出先切替部材７０を開放位置に移動させる構成であったが、検知部４７が原稿Ｇの収容を検知した結果に基づき、移動機構４９によって原稿収容部１６を接触可能位置に移動させると共に、駆動モータ４８によって搬送経路切替部材６７を開放位置に移動させ、かつ駆動モータ４６によって排出先切替部材７０を開放位置に移動させる構成であってもよい。
【０１０８】
すなわち、この構成では、原稿収容部１６の位置変更に連動して、搬送経路切替部材６７及び排出先切替部材７０を開放位置に移動させるのではなく、原稿Ｇを原稿収容部１６に収容するという、原稿Ｇを搬送する意思に基づき、原稿収容部１６の位置変更とは独立して搬送経路切替部材６７及び排出先切替部材７０を開放位置に移動させる。なお、この構成では、検知部４５を設ける必要が無くなる。
【０１０９】
また、上記の構成では、検知部４７が原稿Ｇの非収容を検知した結果に基づき、移動機構４９によって原稿収容部１６を退避位置に移動させ、原稿収容部１６が退避位置に位置することを検知部４５が検知し、その検知結果に基づき、駆動モータ４８によって搬送経路切替部材６７を閉鎖位置に移動させ、かつ駆動モータ４６によって排出先切替部材７０を閉鎖位置に移動させる構成であったが、検知部４７が原稿Ｇの非収容を検知した結果に基づき、移動機構４９によって原稿収容部１６を退避位置に移動させると共に、駆動モータ４８によって搬送経路切替部材６７を閉鎖位置に移動させ、かつ駆動モータ４６によって排出先切替部材７０を閉鎖位置に移動させる構成であってもよい。
【０１１０】
すなわち、この構成では、原稿収容部１６の位置変更に連動して、搬送経路切替部材６７及び排出先切替部材７０を退避位置に移動させるのではなく、原稿Ｇを原稿収容部１６に収容するという、原稿Ｇを搬送する意思に基づき、原稿収容部１６の位置変更とは独立して搬送経路切替部材６７及び排出先切替部材７０を退避位置に移動させる。
【０１１１】
さらに、原稿収容部１６は、操作者の操作部等を操作することにより生成される原稿Ｇの画像を記録媒体Ｐの複写する複写指令（画像読取指令や画像形成指令も同様）に基づき、移動機構４９によって移動する構成であってもよい。
【０１１２】
複写指令に基づき移動機構４９によって原稿収容部１６を移動する構成においても、原稿収容部１６の位置を検知部４５によって検知して、その検知結果に基づき、駆動モータ４８によって搬送経路切替部材６７を移動させると共に、駆動モータ４６によって排出先切替部材７０を移動させる構成としても良い。
【０１１３】
また、複写指令に基づき移動機構４９によって原稿収容部１６を移動する構成においても、複写指令に基づき、移動機構４９によって原稿収容部１６を移動させると共に、駆動モータ４８によって搬送経路切替部材６７を移動させ、かつ駆動モータ４６によって排出先切替部材７０を移動させる構成であってもよい。すなわち、この構成では、原稿収容部１６の位置変更に連動して、搬送経路切替部材６７及び排出先切替部材７０を移動させるのではなく、操作部等を操作するという、原稿Ｇを搬送する意思に基づき、原稿収容部１６の位置変更とは独立して搬送経路切替部材６７及び排出先切替部材７０を移動させる。なお、この構成では、検知部４５を設ける必要が無くなる。
【０１１４】
さらに、複写指令に基づき移動機構４９によって原稿収容部１６を移動する構成においても、位置変更された原稿収容部１６の移動力を搬送経路切替部材６７及び排出先切替部材７０へ伝達して搬送経路切替部材６７及び排出先切替部材７０を移動させる上記の連動機構を用いてもよい。
【０１１５】
さらに、原稿収容部１６は、手動により位置変更がなされる構成であってもよい。この構成においても、原稿収容部１６の位置を検知部４５によって検知して、その検知結果に基づき、駆動モータ４８によって搬送経路切替部材６７を移動させると共に、駆動モータ４６によって排出先切替部材７０を移動させる構成としても良い。
【０１１６】
また、原稿収容部１６が手動により位置変更がなされる構成においても、位置変更された原稿収容部１６の移動力を搬送経路切替部材６７及び排出先切替部材７０へ伝達して搬送経路切替部材６７及び排出先切替部材７０を移動させる上記の連動機構を用いてもよい。なお、この構成では、移動機構４９及び検知部４７は、不要となる。
【０１１７】
なお、本発明は、上記の実施形態に限るものではなく、種々の変形、変更、改良が可能である。
【符号の説明】
【０１１８】
１０   画像形成装置
１５   搬送機構
１６   原稿収容部（第１被搬送材収容部の一例）
１８   搬送手段
２０   画像読取部
３２   原稿排出部（第１被搬送材排出部の一例）
３９   排出ロール
４５   検知部（検知手段の一例）
５０   記録媒体収容部（第２被搬送材収容部の一例）
５４   画像形成部
５６   記録媒体排出部（第２被搬送材排出部の一例）
６７   搬送経路切替部材（搬送経路切替手段の一例）
７０   排出先切替部材（排出先切替手段の一例）
Ｇ     原稿（第１被搬送材の一例）
Ｐ     記録媒体（第２被搬送材の一例）
【図１】
0005568909.tif 000002
【図２】
0005568909.tif 000003
【図３】
0005568909.tif 000004
【図４】
0005568909.tif 000005
【図５】
0005568909.tif 000006
【図６】
0005568909.tif 000007